(57)【要約】【課題】  操作ハンドルをオンロックさせることができ、かつ、トリップ表示が行え、異常電流が流れることにより生じるトリップ状態を容易に確認することができる回路遮断器を提供する。【解決手段】ケース１は上面に開口孔４を有する。操作ハンドル２は、オン状態で開口孔４内に沈むように倒れ込み、オフ状態で開口孔４より起立するように回動自在にケース１内に設けられている。操作ハンドル２のオン状態で操作ハンドル２の先端２ａに手指を掛けるための凹部５を開口孔４に連続してケース１に形成している。ハンドルロック部材１１はオン状態の操作ハンドル２の先端の延長方向の直前に接近するように凹部５に取付けられて操作ハンドル２の先端に手指が係るのを阻止する。  【選択図】        図１
2006066184.tif 000002
【特許請求の範囲】
【請求項１】
上面に開口孔を有するケースと、前記開口孔内に沈むように倒伏するオン状態と前記開口孔より起立するオフ状態との間を回動自在に前記ケース内に設けられた操作ハンドルと、前記操作ハンドルの前記オン状態で前記操作ハンドルの先端に手指を掛けるための凹部を前記開口孔に連続して前記ケースに形成した回路遮断器において、前記オン状態の前記操作ハンドルの先端の延長方向の直前に接近するように前記凹部に取付けられて前記操作ハンドルの先端に前記手指が掛かるのを阻止するハンドルロック部材を設けたことを特徴とする回路遮断器。
【請求項２】
前記ケースが複数横並びに並設され、１つの前記ハンドルロック部材が前記複数のケースの前記凹部に跨がって取付けられている請求項１記載の回路遮断器。
【発明の詳細な説明】
【技術分野】
【０００１】
本発明は、回路遮断器に関するものである。
【背景技術】
【０００２】
従来、上面に開口孔を有するケースと、開口孔内に沈むように倒伏するオン状態と開口孔より起立するオフ状態との間を回動自在にケース内に設けられた操作ハンドルと、操作ハンドルのオン状態で操作ハンドルの先端に手指を掛けるための凹部を開口孔に連続してケースに形成した回路遮断器があった（特許文献１参照）。
【０００３】
本回路遮断器によれば、操作ハンドルを手指で倒しまたは起立してオンまたはオフに操作することができるとともに、電路の異常電流を検出してトリップ動作することで操作ハンドルがオフ側に回動し、操作ハンドルがケースの開口孔より起立してトリップ表示される。これにより異常電流が流れることにより生じるトリップ状態を容易に確認することができる。異常から正常に復旧した後はオフ状態の操作ハンドルを再びオン操作することができる。
【０００４】
つぎに、操作ハンドルをオンロックする場合、ハンドルロック部材をオン状態の操作ハンドル上に被せるようにケースに取付けていた。
【特許文献１】特開2001−307577
【発明の開示】
【発明が解決しようとする課題】
【０００５】
しかし、ハンドルロック部材を操作ハンドルに被せるように取付けた場合、オンロックはできるものの、操作ハンドルがハンドルロック部材によってオン位置にあるままに規制されて起立することができないので、ハンドルロック部材を外さない限り、トリップ状態が分からないという課題があった。
【０００６】
したがって、本発明の目的は、操作ハンドルをオンロックさせることができ、しかもトリップ表示が行える回路遮断器を提供することである。
【課題を解決するための手段】
【０００７】
本発明の回路遮断器は、ケースが上面に開口孔を有する。操作ハンドルは前記開口孔内に沈むように倒伏するオン状態と前記開口孔より起立するオフ状態との間を回動自在に前記ケース内に設けられている。そして前記操作ハンドルの前記オン状態で前記操作ハンドルの先端に手指を掛けるための凹部を前記開口孔に連続して前記ケースに形成している。ハンドルロック部材は前記オン状態の前記操作ハンドルの先端の延長方向の直前に接近するように前記凹部に取付けられて前記操作ハンドルの先端に前記手指が掛かるのを阻止する。
【０００８】
上記構成において、前記ケースが複数横並びに並設され、１つの前記ハンドルロック部材が前記複数のケースの凹部に跨がって取付けられている。
【発明の効果】
【０００９】
本発明の回路遮断器によれば、操作ハンドルがオン状態のときに操作ハンドルをオフ操作しようとしてもハンドルロック部材によって操作ハンドルの先端に手指を掛けることができないので操作ハンドルを操作することができず、オフ操作することができない。しかも、異常電流によってトリップした場合にはハンドルロック部材に関係なく操作ハンドルがオフ側に回動するので、トリップしたことを一目で判断できる。さらに、異常電流が停止し正常な状態に復旧後は再びオン状態に操作することが可能である。
【００１０】
また、ハンドルロック部材を複数のケースの凹部に跨がって取付けることにより一度に複数の回路遮断器をハンドルロックさせることができる。
【発明を実施するための最良の形態】
【００１１】
本発明の第１の実施の形態を図１から図４により説明する。すなわち、本回路遮断器は、ケース１の上面に枠状の突部３を形成しその内側に開口孔４を形成し、開口孔４内に操作ハンドル２を設けている。また開口孔４に連続して突部３内に手指の先端を挿入するための凹部５を形成している。凹部５は後述するオン状態の操作ハンドル２の先端２ａと先端２ａの延長方向に対向する突部３の端壁との間の隙間により形成されている。さらに凹部５の両側で突部３にケース１の外面に開く切欠６を形成するとともに、切欠６の下側の突部３の内壁面に係止凹部７を形成している。ケース１の一端部には主幹回路遮断器に接続された分岐用バー（図示せず）を接続するための複数の溝８を形成し、溝８内に分岐用バーに接触する入力側導電部材９を設けている。ケース１の他端部には負荷側接続端子１０が設けられている。またケース１の内部には操作ハンドル２のオンオフ操作で可動接触子（図示せず）を開閉し、電路の異常電流を検出して可動接触子をトリップ開極し操作ハンドル２をオフ位置へ起立するように動作する開閉・トリップ機構（図示せず）が収納されている。
【００１２】
操作ハンドル２は、開閉・トリップ機構に連結され、オン状態で開口孔４内に面一に沈むように倒伏し、かつ、オフ状態で開口孔４より起立するように回動自在にケース１内に設けられている。操作ハンドル２のオン状態では開口孔４内に操作ハンドル２が沈み込んでいるため、操作ハンドル２をオフ操作する場合、凹部５に手指を入れながら操作ハンドル２の先端２ａに手指を掛けて起こすようにする以外にオフ操作することは困難である。
【００１３】
ハンドルロック部材１１は、ほぼ凹部５を塞ぐ板状であり、操作ハンドル２側の両側より切欠６に係合するための突起１２を形成し、また裏面の両側に引掛凹部７に引っ掛ける引掛爪１３を突設している。ハンドルロック部材１１は凹部５の切欠６に突起１２を含む両側が係合するように押し込むと引掛爪１３が引掛凹部７に引っ掛って係止する。この状態で、ハンドルロック部材１１が凹部１５を塞いで操作ハンドル２の先端２ａの延長方向の直前に接近するように配置されるとともに、図３に示すようにハンドルロック部材１１の表面は突部３の上面と面一になる。これにより、ハンドルロック部材１１が凹部５を塞ぐように凹部５に取付けられて操作ハンドル２の先端２ａに手指が係るのを阻止し、ハンドルロック部材１１があることによって操作ハンドル２をオフ操作することができずにオンロックされることとなる。
【００１４】
図４は開閉・トリップ機構のトリップ動作状態である。ハンドルロック部材１１は操作ハンドル２の上面を覆っていないため、開閉・トリップ機構がトリップ動作すると操作ハンドル２はオフ位置へ回動することができ、操作ハンドル２が起立することによりトリップ表示を行うことができる。また異常から正常な状態に復旧後は操作ハンドル２をハンドルロック部材１１が取り付けられたままでオン操作することができる。
【００１５】
本発明の第２の実施の形態を図５から図８により説明する。すなわち、第１の実施の形態の回路遮断器からなる複数の回路遮断器のケース１が横並びに並設されている。ハンドロック部材１１は複数のケース１に設けられた各凹部５に跨がって配設される長さを有し、その両側に突起１２および引掛爪１３を有する。ハンドルロック部材１１は各ケース１の凹部５および切欠６にまたがり、ハンドルロック部材１１の突起１２を含む両側は複数並んだケース１の最外側の切欠６に係合し、引掛爪１３もケース１の最外側の引掛凹部５に引っ掛かって係止し、ハンドルロック部材１１の上面が突部３の上面に面一になっている。その他は第１の実施の形態と共通している。第２の実施の形態によれば、一度のハンドルロック部材１１を取付ける操作で複数の回路遮断器をハンドルロックすることができるので便利である。
【図面の簡単な説明】
【００１６】
【図１】本発明の第１の実施の形態のハンドルロック部材を外したオン状態の回路遮断器の斜視図である。
【図２】ハンドルロック部材を取付けたオン状態の回路遮断器の斜視図である。
【図３】ハンドルロック部材を係止した状態の部分断面図である。
【図４】トリップ状態の斜視図である。
【図５】第２の実施の形態のハンドルロック部材を外したオン状態の回路遮断器の斜視図である。
【図６】ハンドルロック部材を取付けたオン状態の回路遮断器の斜視図である。
【図７】ハンドルロック部材を係止した状態の部分断面図である。
【図８】トリップ状態の斜視図である。
【符号の説明】
【００１７】
１    ケース
２    操作ハンドル
３    突部
４    開口孔
５    凹部
１１    ハンドルロック部材
【図１】
2006066184.tif 000003
【図２】
2006066184.tif 000004
【図３】
2006066184.tif 000005
【図４】
2006066184.tif 000006
【図５】
2006066184.tif 000007
【図６】
2006066184.tif 000008
【図７】
2006066184.tif 000009
【図８】
2006066184.tif 000010